(57)【特許請求の範囲】
【請求項１】
入力情報信号を所定の単位ごとに、１または複数のトラックを形成して記録するようにした回転ヘッド型磁気記録装置において、
上記テープの始端を検出するテープ始端検出手段と、
テープの記録進行方向に所定の規則に従って増加または減少して行く各上記トラックごとに固有の絶対トラック番号であって、上記テープの始端が検出されたときに、所定の記録不可範囲の距離と自己のメカデッキのテープ始端の検出時のドラム突入部までの距離との差及び上記テープ上に記録される上記トラックのトラックピッチとに従って定められた前記絶対トラック番号を、上記検出時のドラム突入部のトラックに記録するトラック番号記録手段と
を有し、
上記検出時のドラム突入部の絶対トラック番号は、上記所定の規則に従って上記絶対トラック番号が記録されるとき上記テープの始端から上記所定の記録不可範囲の距離に記録されるトラックに特定の絶対トラック番号が記録されるように定められると共に、
上記絶対トラック番号を用いて特定の絶対トラック番号以降に上記入力情報信号で形成されたトラックが記録される
ことを特徴とする回転ヘッド型磁気記録装置。
【請求項２】
請求項１記載の回転ヘッド型磁気記録装置において、
上記テープの始端側の上記特定の絶対トラック番号の記録される規定の位置より前の部分には、無効の信号で形成されたトラックが記録されるようにした
ことを特徴とする回転ヘッド型磁気記録装置。
【請求項３】
請求項１記載の回転ヘッド型磁気記録装置において、
上記絶対トラック番号が、少なくとも上記入力情報信号で形成されたトラックの記録される特定の絶対トラック番号以降で連続して形成されているか否かを示すフラグと共に記録されるようにした
ことを特徴とする回転ヘッド型磁気記録装置。
【請求項４】
入力情報信号を所定の単位ごとに、１または複数のトラックを形成して記録するようにした回転ヘッド型磁気記録方法において、
上記テープの始端を検出し、
テープの記録進行方向に所定の規則に従って増加または減少して行く各上記トラックごとに固有の絶対トラック番号であって、上記テープの始端が検出されたときに、所定の記録不可範囲の距離と自己のメカデッキのテープ始端の検出時のドラム突入部までの距離との差及び上記テープ上に記録される上記トラックのトラックピッチとに従って定められた前記絶対トラック番号を、上記検出時のドラム突入部のトラックに記録し、
上記検出時のドラム突入部の絶対トラック番号は、所定の規則に従って上記絶対トラック番号が記録されるとき上記テープの始端から上記所定の記録不可範囲の距離に記録されるトラックに特定の絶対トラック番号が記録されるように定められると共に、
上記絶対トラック番号を用いて特定の絶対トラック番号以降に上記入力情報信号で形成されたトラックが記録される
ことを特徴とする回転ヘッド型磁気記録方法。
【請求項５】
請求項４記載の回転ヘッド型磁気記録方法において、
上記テープの始端側の上記特定の絶対トラック番号の記録される規定の位置より前の部分には、無効の信号で形成されたトラックが記録されるようにした
ことを特徴とする回転ヘッド型磁気記録方法。
【請求項６】
請求項４記載の回転ヘッド型磁気記録方法において、
上記絶対トラック番号が、少なくとも上記入力情報信号で形成されたトラックの記録される特定の絶対トラック番号以降で連続して形成されているか否かを示すフラグと共に記録されるようにした
ことを特徴とする回転ヘッド型磁気記録方法。
【発明の詳細な説明】
【０００１】
【産業上の利用分野】
本発明は、回転ヘッド型磁気記録装置及び記録方法であって、特にデジタル化された音声及び画像信号や、任意の情報信号が記録される回転ヘッド型磁気記録装置及び記録方法に関するものである。
【０００２】
【従来の技術】
図１５、図１６に従来の８ミリＶＣＲ（回転ヘッド型磁気記録装置）のメカデッキを示す。どちらも８ミリカセットハーフからテープが引き出され、ドラムに巻き付けられたローディング状態を示している。これらの図において、赤外線受光部５１には、赤外線発光部５２からの光がテープ５５を横切った形で渡される。従ってテープ５５が透明なリーダーテープ部であれば光が届き、実テープ部であれば光が遮断されるので、テープトップの検出を行うことができる。
【０００３】
【発明が解決しようとする課題】
これらの図において、今、赤外線受光部５１、赤外線発光部５２によりリーダーテープと実テープの境目位置５３が見つかったとする。ところがこのとき、この境目位置５３からテープ５５のドラムへの突入口５４までの距離５３−５４が、図１５、図１６で異なっている。
【０００４】
一方、８ミリＶＣＲのシステムコントロールは、この境目位置５３を見つけることにより録画を開始する。このため実際の記録エリアは、それぞれ図１７ａ、ｂのエリア５７に示すようになる。なお図１７ａは図１５に、図１７ｂは図１６に、それぞれ対応している。
【０００５】
従ってこの図１７から明らかなように、例えば図１５のメカデッキで記録したテープを、図１６のメカデッキで再生すると、区間５６の部分が絶対に再生できないことになる。また図１６のメカデッキで記録したテープを、図１５のメカデッキで記録し直し、さらにそのテープを図１６のメカデッキで再生すると、区間５６の部分の記録がいつまでもゴミとなって残ることになる。
【０００６】
これは８ミリＶＣＲのみならず、ＶＨＳ、ＢＥＴＡ等全ての現行ＶＣＲで、共通の問題である。この主原因は、メカデッキによって異なるローディング方式を採用していることにある。参考までに、図１８にその他のＶＣＲのローディング方式を示す。なお（ａ）（ｂ）はそれぞれＢＥＴＡ方式、（ｃ）はＵマチック方式の例である。
【０００７】
この発明はこのような点に鑑みて成されたもので、ローディング方式が異なってもテープの頭に記録した内容が確実に再生でき、また確実に消去できる回転ヘッド型磁気記録装置を提供することにある。
【０００８】
【課題を解決するための手段】
本発明による第１の手段は、入力情報信号を所定の単位ごとに、１または複数のトラックを形成して記録するようにした回転ヘッド型磁気記録装置において、テープの始端を検出するテープ始端検出手段と、テープの記録進行方向に所定の規則に従って増加または減少して行く各トラックごとに固有の絶対トラック番号であって、テープの始端が検出されたときに、所定の記録不可範囲の距離と自己のメカデッキのテープ始端の検出時のドラム突入部までの距離との差及びテープ上に記録されるトラックのトラックピッチとに従って定められた絶対トラック番号を、検出時のドラム突入部のトラックに記録するトラック番号記録手段とを有し、検出時のドラム突入部の絶対トラック番号は、所定の規則に従って絶対トラック番号が記録されるときテープの始端から所定の記録不可範囲の距離に記録されるトラックに特定の絶対トラック番号が記録されるように定められると共に、絶対トラック番号を用いて特定の絶対トラック番号以降に入力情報信号で形成されたトラックが記録されることを特徴とする回転ヘッド型磁気記録装置である。
【０００９】
本発明による第２の手段は、第１の手段記載の回転ヘッド型磁気記録装置において、上記テープの始端側の上記特定の絶対トラック番号の記録される規定の位置より前の部分には、無効の信号で形成されたトラックが記録されるようにしたことを特徴とする回転ヘッド型磁気記録装置である。
【００１０】
本発明による第３の手段は、第１の手段記載の回転ヘッド型磁気記録装置において、上記絶対トラック番号が、少なくとも上記入力情報信号で形成されたトラックの記録される特定の絶対トラック番号以降で連続して形成されているか否かを示すフラグと共に記録されるようにしたことを特徴とする回転ヘッド型磁気記録装置である。
【００１１】
本発明による第４の手段は、入力情報信号を所定の単位ごとに、１または複数のトラックを形成して記録するようにした回転ヘッド型磁気記録方法において、テープの始端を検出し、テープの記録進行方向に所定の規則に従って増加または減少して行く各トラックごとに固有の絶対トラック番号であって、テープの始端が検出されたときに、所定の記録不可範囲の距離と自己のメカデッキのテープ始端の検出時のドラム突入部までの距離との差及びテープ上に記録されるトラックのトラックピッチとに従って定められた絶対トラック番号を、検出時のドラム突入部のトラックに記録し、検出時のドラム突入部の絶対トラック番号は、所定の規則に従って絶対トラック番号が記録されるときテープの始端から所定の記録不可範囲の距離に記録されるトラックに特定の絶対トラック番号が記録されるように定められると共に、絶対トラック番号を用いて特定の絶対トラック番号以降に入力情報信号で形成されたトラックが記録されることを特徴とする回転ヘッド型磁気記録方法である。
【００１２】
本発明による第５の手段は、第４の手段記載の回転ヘッド型磁気記録方法において、上記テープの始端側の上記特定の絶対トラック番号の記録される規定の位置より前の部分には、無効の信号で形成されたトラックが記録されるようにしたことを特徴とする回転ヘッド型磁気記録方法である。
本発明による第６の手段は、第４の手段記載の回転ヘッド型磁気記録方法において、上記絶対トラック番号が、少なくとも上記入力情報信号で形成されたトラックの記録される特定の絶対トラック番号以降で連続して形成されているか否かを示すフラグと共に記録されるようにしたことを特徴とする回転ヘッド型磁気記録方法である。
【００１３】
【作用】
これによれば、入力情報信号で形成されたトラックが特定の絶対トラック番号以降で記録されることによって、ローディング方式が異なってもテープの記録の開始位置に記録した内容が確実に再生でき、また確実に消去できる。
【００１４】
また、絶対トラック番号が連続して形成されているか否かを示すフラグが記録されることによって、サーチ等の動作を円滑に行うことができる。
【００１５】
【実施例】
本発明が実施される具体的なＶＴＲの記録側回路について図１に、再生側回路について図２、図３に示す。この例は、いわゆるベースバンド記録再生方式のＶＴＲで、ＮＴＳＣ、ＰＡＬの現行４：３アスペクト比のテレビジョン方式の他にハイビジョンテレビ放送のような１６：９アスペクト比のテレビジョン方式でも同様のブロック図で説明される。
【００１６】
まず、図１の記録側回路について説明する。
アンテナ１から入力されたＴＶ電波信号は、２なるチューナーにて受信され、コンポジットのビデオ信号とオーディオ信号に復元される。このコンポジットビデオ信号は、４なる外部入力からの信号とスイッチ３ａで選択され、６なるＹ／Ｃ分離回路に加えられる。この回路で輝度信号（Ｙ）と色差信号（Ｒ−Ｙ，Ｂ−Ｙ）に分解される。一方スイッチ３ａからの信号は、１１なる同期分離回路にも与えられる。ここで、Ｖ同期信号とＨ同期信号を抜き出す。
【００１７】
この両者は、次のＰＬＬ（Ｐｈａｓｅ  Ｌｏｃｋｅｄ  Ｌｏｏｐ）回路のリファレンス信号として用いられ、ここで入力信号にロックしたおおもとの基本サンプリング周波数である１３．５ＭＨｚを作り出す。この周波数を４のレートというが、色信号に対しては通常これでサンプリングするだけの情報量を必要としないので、１３なる分周器でこの周波数の半分または４分の１の周波数を作り、これでサンプリングすれば十分である。
本実施例では、５２５本／６０ＨｚのＮＴＳＣでは４：１：１、６２５本／５０ＨｚのＰＡＬでは４：２：０のレートでサンプリングする。
【００１８】
さて、６なるＹ／Ｃ分離回路のアナログ出力をデジタル信号化する前に、折り返し歪を除去するために、７ａ、７ｂ、７ｃなるＬＰＦ（Ｌｏｗ  Ｐａｓｓ  Ｆｉｌｔｅｒ）で帯域制限をする。フィルターの遮断周波数は、例えばＹに対して５．７５ＭＨｚ、Ｒ−Ｙ、Ｂ−Ｙに対しては、２のレートで２．７５ＭＨｚ、１のレートで１．４５ＭＨｚ等が選ばれる。このように前処理した信号を、８ａ、８ｂ、８ｃなるＡ／Ｄ変換器でデジタル信号化する。
【００１９】
次にこれらのデジタル信号をＤＣＴ（Ｄｅｓｃｒｅｔｅ  Ｃｏｓｉｎｅ  Ｔｒａｎｓｆｏｒｍ）を用いたブロック圧縮符号化するために、実画面上のデータを８サンプル×８ラインのブロックに、９なるブロッキング回路にて処理する。その後、１０なるシャッフリング回路でデータを効果的にばらける。これは、テープ上に記録したデータがヘッドのクロッグやテープの横傷等で集中的に失われるのを回避する処置である。同時に１０では、輝度信号と色差信号を後段で処理しやすいように、並び替えを行う。
【００２０】
データ圧縮符号化部１４では、ＤＣＴ方式や可変長符号化を用いた圧縮回路、その結果を所定のデータ量まで圧縮できたかを見積る見積器、その判断結果を基に最終的に量子化する量子化器からなる。こうして圧縮されたビデオデータは、所定のＳＹＮＣブロックの中に１５なるフレーミング回路であるルールに従って詰め込まれる。
【００２１】
ＶＡＵＸ、ＡＡＵＸ、Ｓｕｂｃｏｄｅの各パックデータ及びＳｕｂｃｏｄｅ内に格納するトラック番号は、信号処理マイコン２０で生成される。その結果は、マイコンとハードウエアとの間を取り持つインターフェースＩＣ１７、１８、１９に与えられる。ＶＡＵＸを担当するＩＣ１７は、ＡＰ２も生成しタイミングをはかって合成器１６でフレーミング出力と合成する。同様にＳｕｂｃｏｄｅを担当するＩＣ１８は、ＩＤ部のデータＳＩＤとＡＰ３それにＳｕｂｃｏｄｅのパックデータＳＤＡＴＡを生成する。
【００２２】
一方オーディオ信号は、スイッチ３ｂにてチューナー２から出力信号か外部入力５からの信号かを選択した後、２１なるＡ／Ｄ変換器でデジタル信号化される。この時ビデオと同様に、図示せずもサンプリング周波数に応じたＬＰＦが、その前段に必要である。こうして得られたオーディオデータは、２２なるシャッフリング回路にてテープ上の記録に有利な形にバラバラにされる。それを次段のフレーミング回路２３にてオーディオのＳＹＮＣブロック内に詰め込まれる。この時ＡＡＵＸ担当ＩＣ１９は、ＡＰ１とＡＡＵＸのパックデータを生成しタイミングを見計らって、合成回路２４にてオーディオのＳＹＮＣブロック内の所定の場所にそれらを詰め込む。
【００２３】
回路２５では、ＡＶ（Ａｕｄｉｏ／Ｖｉｄｅｏ）の各ＩＤ部とＰｒｅ、Ｐｏｓｔの各ＳＹＮＣの生成を行う。これと、ＡＤＡＴＡ、ＶＤＡＴＡ、ＳＩＤ、ＳＤＡＴＡは、スイッチ２６によりタイミングを見て切り換えられ、それぞれエラー訂正符号生成回路２７により所定のパリティが付加される。
【００２４】
次段のチャンネルコーダーでは、まず記録データにかたよりが出ないように２９にて乱数化を行い、２４／２５変換器３０により２４ビットデータをある約束に基づいて２５ビットデータに変換する。これにより磁気記録再生時に問題になる直流成分を取り除く。ここではさらに図示せずもデジタル記録に適したＰＲＩＶ（パーシャルレスポンス、クラス４）のコーディング処理（１／１−Ｄ2 ）も併せて行う。
【００２５】
こうして得られた信号に、Ａｕｄｉｏ／Ｖｉｄｅｏ、ＳｕｂｃｏｄｅのＳＹＮＣパターンを合成器３１にて合成する。ＩＣ３３は、ＩＴＩセクターの生成ＩＣである。ここには、ＶＴＲ全体のモード管理を行う３３なるモード処理マイコンから、ＡＰＴ、ＳＰ／ＬＰ、ＰＦの各データが与えられ、それを所定の位置にはめ込んでスイッチ３２に加える。スイッチ３２はこれらのデータとアンブルパターンをタイミングを見て切り換えていく。
【００２６】
スイッチ４０は、ＶＴＲ本体の外部スイッチで記録、再生等を指示するスイッチ群である。このなかにはＳＰ／ＬＰの記録モード設定スイッチもあり、その結果はマイコン通信網を介して、メカ制御マイコン２８や信号処理マイコン２０に指示される。
モード処理マイコン３４には、ＭＩＣマイコン３８がつながっている。ここではＡＰＭやＭＩＣ内のパックデータを生成し、ＭＩＣ接点３９を介して４０なるＭＩＣつきカセットに与えられる。
【００２７】
スイッチ３２により切り替えられたデータは、さらにスイッチ３５によりヘッドの切り替えタイミングに合わせて切り換えられる。そしてヘッドアンプ３６ａ、３６ｂにより増幅され、ヘッド３７ａ、３７ｂによりテープ上に記録される。以上の一連の作業は、モード処理マイコン３４を中心に、メカ制御マイコン２８や信号処理マイコン２０と各パート担当のＩＣとの連携動作で行われる。
【００２８】
次に、図２、図３の再生側回路について説明する。
１ａ、１ｂなるヘッドから入力された微弱信号は、ヘッドアンプ２ａ、２ｂにて増幅され、スイッチ３にてタイミングを計って切り換えられながら、イコライザー回路４に加えられる。イコライザー回路は、記録時にテープと磁気ヘッドとの電磁変換特性を向上させるため、いわゆるエンファシス処理（例えばパーシャルレスポンスｃｌａｓｓＩＶ）を行っているが、その逆処理を行うものである。イコライザー回路４の出力からクロック抽出回路５によりクロック成分を抜き出す。これを用いて、イコライザー回路４の出力を６なるＡ／Ｄ変換器を用いて、デジタル値化する。こうして得られた１ビットデータをＦＩＦＯ７に抽出クロックＣＫを用いて書き込む。
【００２９】
このクロックＣＫは、回転ヘッドドラムのジッター成分を含んだ、時間的にフワフワした不安定な信号である。しかしＡ／Ｄ変換する前のデータ自身もフワフワしているので、サンプリングする事自体には問題はない。ところがこれから画像データ等を抜き出す時には、しっかりと時間的に安定したデータになっていないと取り出せないので、ＦＩＦＯを用いて時間軸調整を行う。つまり書き込みは不安定なクロックで行うが、読出しは３８なる水晶発振子等を用いた自励発振器３９からの安定したクロックＳＣＫで読みだす。ＦＩＦＯの深さとしては、入力データの入力スピードよりも速く読み出さないような余裕のあるものにする。
【００３０】
ＦＩＦＯの各段の出力は、８なるＳＹＮＣパターン検出回路に加えられる。ここには、スイッチ９により各エリアのＳＹＮＣパターンがタイミング回路１３で切り換えられて与えられる。ＳＹＮＣパターン検出回路は、いわゆるフライホイール構成になっており、一度ＳＹＮＣパターンを検出すると、それから所定のＳＹＮＣブロック長後に再び同じＳＹＮＣパターンが来るかどうかを見る。それが例えば３回以上正しければ真とみなすような構成にして、誤検出を防いでいる。ＦＩＦＯの深さは、この数分は必要である。
【００３１】
こうしてＳＹＮＣパターンが検出されると、ＦＩＦＯの各段の出力からどの部分を抜き出せば一つのＳＹＮＣブロックが取り出せるか、そのシフト量が決定されるので、それを基にスイッチ１０により必要なビットを１１なるＳＹＮＣブロック確定ラッチに取り込む。これにより、取り込んだＳＹＮＣ番号を１２なる抽出回路にて取りだし、１３なるタイミング回路に入力する。この読み込んだＳＹＮＣ番号によりトラック上のどの位置にヘッドがいるのかが分かるので、それによりスイッチ９やスイッチ１４を切り換える。
【００３２】
スイッチ１４は、ＩＴＩセクターの時下側に切り替わっており、ＩＴＩＳＹＮＣパターンを１５により取り除いて、１６なるＩＴＩデコーダーに加える。ＩＴＩのエリアはコーディングして記録して有るので、それをデコードすることにより、ＡＰＴ、ＳＰ／ＬＰ、ＰＦの各データを取り出せる。これは、セット外部の操作キー１８がつながれている、セット全体の動作モード等を決めるモード処理マイコン１７に与えられる。
【００３３】
モード処理マイコン１７には、ＡＰＭ等を管理するＭＩＣマイコン１９がつながっている。ＭＩＣ付きカセット２１からの情報は、ＭＩＣ接点スイッチ２０を介してこのＭＩＣマイコン１９に与えられ、モード処理マイコン１７と役割分担しながら、ＭＩＣの処理を行う。セットによっては、このＭＩＣマイコンは省略され、モード処理マイコン１７でＭＩＣ処理を行う場合もある。
モード処理マイコン１７は、メカ制御マイコン２８や信号処理マイコン５１と連携を取って、セット全体のシステムコントロールを行う。
【００３４】
Ａ／ＶセクターやＳｕｂｃｏｄｅセクターの時には、スイッチ１４は上側に切り替わっている。２２により各セクターのＳＹＮＣパターンを抜きだした後、２４／２５逆変換回路２３を通し、さらに２４なる逆乱数化回路に加えて、基のデータ列に戻す。こうして取り出したデータを２５なるエラー訂正回路に加える。
【００３５】
エラー訂正回路では、種々のストラテジーを駆使して、エラーデータの検出、訂正を行うが、どうしても取りきれなかったデータはＥＲＲＯＲフラグをつけて出力する。各データは、スイッチ２６により切り替えられる。回路２７は、Ａ／ＶセクターのＩＤ部とＰｒｅ、Ｐｏｓｔの各ＳＹＮＣを担当するもので、ここでＳＹＮＣ番号、トラック番号それにＰｒｅ−ＳＹＮＣに格納されていたＳＰ／ＬＰの各信号を抜き出す。これらは、タイミング回路１３に与えられた各種タイミングを作り出す。
【００３６】
ＳＰ／ＬＰについては、ＩＴＩから得られたものとの比較検討をモードマイコン１７にて行う。ＩＴＩエリアには、その中のＴＩＡエリアに３回ＳＰ／ＬＰ情報が書かれており、そこだけで多数決等を取って信頼性を高める。Ｐｒｅ−ＳＹＮＣは、オーディオ、ビデオにそれぞれ２ＳＹＮＣづつあり、計４箇所ＳＰ／ＬＰ情報が書かれている。ここもそこだけで多数決等を取って信頼性を高める。そして最終的に両者が一致しなかった場合には、ＩＴＩエリアのものを優先して採用する。
【００３７】
ＶＤＡＴＡは、スイッチ２９によりＶｉｄｅｏデータとＶＡＵＸデータに切り分けられる。ＶｉｄｅｏデータはＥＲＲＯＲフラグと共にデフレーミング回路３０に与えられる。デフレーミング回路は、フレーミングの逆変換をする所で、その中に詰め込まれたデータの性質を把握している。そこであるデータに取りきれなかったエラーがあったとき、それがそのほかのデータにどう影響を及ぼすかを理解しているので、ここで伝播エラー処理を行う。これによりＥＲＲＯＲフラグは、新たに伝播エラーを含んだＶＥＲＲＯＲフラグとなる。
当然、エラーのデータでも画像再現上重要でないものは、その画像データにある細工をして、エラーフラグを消してしまう処理も、このデフレーミング回路で行う。
【００３８】
画像データは、データ逆圧縮符号化部に加えられる。つまり、３１なる逆量子化回路、３２なる逆圧縮回路を通して、圧縮前のデータに戻す。次にデシャッフリング３３、デブロッキング３４により、データを基の画像空間配置に戻す。この実画像空間にデータを戻して初めて、ＶＥＲＲＯＲフラグを基に画像のコンシールメントが可能になる。つまり、例えば常に１フレーム前の画像データをメモリに記憶させておき、エラーとなった画像ブロックを前の画像データで代用してしまうような処理が行われる。これは、前画像との相関性を利用したもので、当然シーンチェンジのように全く相関の無い場合には、ごまかしが効かない。しかしながら、最終手段としてよく行われる方法である。
【００３９】
さてデシャッフリング３３以降は、輝度信号と色差信号の３系統にデータを分けて扱う。そして３５のＤ／Ａ変換器によりＹ、Ｒ−Ｙ、Ｂ−Ｙの各アナログ成分に戻される。この時のクロックは、３９なる発振回路とそれを分周器４０にて分周した出力を用いる。つまりＹは、１３．５ＭＨｚ、Ｒ−Ｙ、Ｂ−Ｙは、６．７５ＭＨｚまたは３．３７５ＭＨｚである。
こうして得られた３つの信号成分は、３６なるＹ／Ｃ合成回路にて合成され、さらに同期信号発生回路４１のコンポジット同期信号と３７にて合成され、コンポジットビデオ信号として４２から出力される。
【００４０】
ＡＤＡＴＡは、スイッチ４３によりＡｕｄｉｏデータとＡＡＵＸデータに切り分けられる。ＡｕｄｉｏデータはＥＲＲＯＲフラグと共にデフレーミング回路４４に与えられる。デフレーミング回路は、フレーミングの逆変換をする所で、その中に詰め込まれたデータの性質を把握している。そこであるデータに取りきれなかったエラーがあったとき、それがそのほかのデータにどう影響を及ぼすかを理解しているので、ここで伝播エラー処理を行う。例えば、１６ビットサンプリングの時、１つのデータは８ビット単位なので、１つのＥＲＲＯＲフラグは２つのデータにまたがることになる。これによりＥＲＲＯＲフラグは、新たに伝播エラーを含んだＡＥＲＲＯＲフラグとなる。
【００４１】
Ａｕｄｉｏデータは、次のデシャッフリング回路４５により基の時間軸上に戻される。この時、先ほどのＡＥＲＲＯＲフラグを基にオーディオデータの補修作業を行う。つまり、オーディオにおけるエラーは即“ブチッ”音になってしまうので、エラー直前の音で代用する前値ホールド等の処理を行う。エラー期間があまりに長く、ごまかしが効かない場合には、ミューティング等の処理をして音そのものを止めてしまう。
このような処理をした後、Ｄ／Ａ変換器４６によりアナログ値に戻し、画像データとリップシンク等のタイミングを取りながら、４７に出力する。
【００４２】
さて、スイッチ２９、４３により切り分けられたＶＡＵＸ、ＡＡＵＸの各データは、４８、５０なる専用ＩＣなどでエラーフラグも参考にしながら多数決処理等の前処理を行う。ＳｕｂｃｏｄｅセクターのＩＤ部ＳＩＤとデータ部ＳＤＡＴＡは、４９なる専用ＩＣに与えられ、ここでもエラーフラグも参考にしながら多数決処理等の前処理を行う。その後、５１なる信号処理マイコンに与えられ、最終的な読み取り動作を行う。この時取りきれなかったエラーは、それぞれＶＡＵＸＥＲ、ＳＵＢＥＲ，ＡＡＵＸＥＲとして信号処理マイコン５１に与えられる。４８、４９、５０の各ＩＣは、それぞれＡＰ２、ＡＰ３、ＡＰ１の生成処理も行う。
【００４３】
ここでのエラー処理について補足すると、各々のエリアにはメインエリアとオプショナルエリアがある。そして５２５本／６０Ｈｚシステムの場合には、同じデータがメインエリアに１０回書き込まれている。従ってそのうちいくつかがエラーしていても、その他のデータで補足再現できるのでそこのＥＲＲＯＲフラグはもはやエラーではなくなる。ただしＳｕｂｃｏｄｅ以外のオプショナルエリアについてはデータは１回書きなので、エラーはそのままＶＡＵＸＥＲ、ＳＵＢＥＲ、ＡＡＵＸＥＲとして残ることになる。
信号処理マイコン５１は、さらに各データのパックの前後関係などから類推して、伝播エラー処理やデータの補修処理等を行う。こうして判断した結果は、モード処理マイコン１７に与えられ、セット全体の挙動を決める材料にする。
【００４４】
そしてこの装置において、上述のアプリケーションデータＡＰＴが“０００”とされると、トラックの全体の形式が図４のＡのように定められる。すなわち図において、先頭（左）側から、エリア０、ギャップ部Ｇ１を挟んでエリア１、ギャップ部Ｇ２を挟んでエリア２、ギャップ部Ｇ３を挟んでエリア３が設けられ、終端にマージン部が設けられる。
【００４５】
さらにこの図において、エリア０は上述のＩＴＩセクターであって、同図のＢに示すように、先ず１４００ビット分のアンブル部と、１８３０ビット分のＳＳＡ（Ｓｔａｒｔ−Ｓｙｎｃ  ｂｌｏｃｋ  Ａｒｅａ）部及び９０ビット分のＴＩＡ部、さらに２８０ビット分のアンブル部が設けられる。この後に６２５ビット分のギャップＧ１が設けられる。
【００４６】
ここでＳＳＡ部には、１８３０ビットが６１のブロックに分けられて、それぞれ３０ビットのブロックには０〜６０の数値が順番に設けられる。これによってこのブロックの一つでも再生されることでトラック上のヘッドの位置が検出され、インサート時のタイミングが形成される。
【００４７】
またＴＩＡ部には、同図のＣに示すように、先ず１０ビットの同期部と、８ビットの第１のデータ部、２ビットのダミーデータ部、８ビットの第２のデータ部、２ビットのダミーデータ部からなる計３０ビットのＴＩＡデータが３回繰り返し設けられる。なお第１のデータ部の内に、アプリケーションデータＡＰＴが２回設けられる。また第２のデータ部の内に、トラック幅を定めるデータＳＰ／ＬＰとパイロットフレームＰＦが２回ずつ設けられる。
【００４８】
またエリア１は、上述のアプリケーションデータＡＰ１が“０００”とされるとオーディオデータの記録エリアとされる。すなわちエリア１の先頭には５００ビット分のアンブル部（ランアップ）が設けられる。これに続いて同期信号２バイト、ＩＤ信号３バイト、データ信号７７バイト、インナーパリティ８バイトの計９０バイトからなる同期ブロックが１４個設けられる。この後に５５０ビット分のアンブル部（ガードエリア）が設けられる。さらにこの後に７００ビット分のギャップＧ２が設けられる。
【００４９】
ここで１４個の同期ブロックは並べると図５のＡに示すようになる。この内データ信号７７バイトは最初の９個の同期ブロックにおいて前半の５バイトがＡＡＵＸ信号、残りがオーディオデータとされる。また最後の５個の同期ブロックのデータ信号７７バイトはアウターパリティとされる。なお上述の計９０バイトからなる同期ブロック１４個のデータは、２４／２５変換によって全体で１０５００ビットとされる。
【００５０】
またこの１４個の同期ブロックの前後には、図中に示すように、その前側（ランアップの末尾）に２ブロックの前同期の信号と、後側（ガードエリアの先頭）に１ブロックの後同期の信号が設けられる。これらの前同期及び後同期の信号はそれぞれ同期信号２バイト、ＩＤ信号３バイト、データ信号１バイトからなっている。そして前同期の信号のデータ信号にはデータＳＰ／ＬＰが設けられる。また後同期の信号のデータ信号はダミーデータとされる。
【００５１】
さらにＩＤ信号の構成は図５のＢに示すようになる。すなわち前同期及び後同期の信号の各ＩＤ信号の１番目のバイト（ＩＤ０）のＭＳＢ側の３ビットにアプリケーションデータＡＰ１が設けられる。また上述のアウターパリティの５個の同期ブロックの各ＩＤ信号の１番目のバイトのＭＳＢ側の３ビットにもアプリケーションデータＡＰ１が設けられる。またＡＡＵＸ信号及びオーディオデータの９個の同期ブロックの各ＩＤ信号の１番目のバイトのＭＳＢ側の４ビットにはシーケンス番号のデータＳＥＱが設けられる。なお前同期、後同期の信号及びアウターパリティの各ＩＤ信号の１番目のバイトのＭＳＢ側の４ビット目にはシーケンス番号のＬＳＢが設けられる。
【００５２】
また前同期及び後同期の信号を含む１７個の同期ブロックの各ＩＤ信号の１番目のバイトのＬＳＢ側の４ビットにはフレーム内のトラック番号のデータＴＲＫが設けられる。さらに１７個の同期ブロックの各ＩＤ信号の２番目のバイト（ＩＤ１）にはトラック中の同期ブロック番号のデータＳＮＣが設けられる。なお同期ブロック番号は、前同期及び後同期の信号を含めて＃０〜＃１６（後述するビデオデータの記録エリアも連続して＃０〜＃１６８）の数値が設けられる。なお各ＩＤ信号の３番目のバイト（ＩＤＰ）は１番目及び２番目のバイトのインナーパリティとされる。
【００５３】
さらにエリア２は、上述のアプリケーションデータＡＰ２が“０００”とされるとビデオデータの記録エリアとされる。すなわちエリア２の先頭には５００ビット分のアンブル部（ランアップ）が設けられる。これに続いて同期信号２バイト、ＩＤ信号３バイト、データ信号７７バイト、インナーパリティ８バイトの計９０バイトからなる同期ブロックが１４９個設けられる。この後に９７５ビット分のアンブル部（ガードエリア）が設けられる。さらにこの後に１５５０ビット分のギャップＧ３が設けられる。
【００５４】
ここで１４９個の同期ブロックは並べると図６のＡに示すようになる。この内データ信号７７バイトは最初の１、２番目の同期ブロック（＃１９、＃２０）と途中の１３８番目の同期ブロック（＃１５６）においてＶＡＵＸ信号され、その間の１３５個の同期ブロック（＃２１〜＃１５５）がビデオデータとされる。また１３９番目以降の１１個の同期ブロック（＃１５７〜＃１６７）のデータ信号７７バイトはアウターパリティとされる。なお上述の計９０バイトからなる同期ブロック１４９個のデータは、２４／２５変換によって全体で１１１７５０ビットとされる。
【００５５】
またこの１４９個の同期ブロックの前後には、上述のオーディオデータの記録エリアと同様の前同期及び後同期の信号が設けられる。またこれらの前同期及び後同期の信号と１４９個の同期ブロックには、それぞれデータＳＰ／ＬＰ及びダミーデータが設けられる。さらにＩＤ信号の１番目及び２番目のバイト（ＩＤ０、ＩＤ１）には図６のＢに示すように、アプリケーションデータＡＰ２、シーケンス番号のデータＳＥＱ、フレーム内のトラック番号のデータＴＲＫ、トラック中の同期ブロック番号のデータＳＮＣが設けられる。なお同期ブロック番号はビデオデータの記録エリアでは１７〜１６８の数値が設けられる。
【００５６】
さらにエリア３は、上述のアプリケーションデータＡＰ３が“０００”とされるとサブコードの記録エリアとされる。すなわちエリア３の先頭には１２００ビット分のアンブル部（ランアップ）が設けられる。これに続いて同期信号２バイト、ＩＤ信号３バイト、データ信号５バイト、インナーパリティ２バイトの計１２バイトからなる同期ブロックが１２個設けられる。この後に１２００ビット分のアンブル部（ガードエリア）が設けられる。
【００５７】
ここで１２個の同期ブロック（Ｓ＃０〜Ｓ＃１１）は並べると図７に示すようになる。この内データ信号１２バイトは、３個の同期ブロックごとに交互に定められたデータのメインエリアと、使用者が任意に定められるデータのオプショナルエリアとされる。なおメインエリアにはタイムコード、記録日時等のデータが記録される。またデータのメインエリアとオプショナルエリアは、図中に示すようにビデオデータの１フレームを構成する２つのフィールドで逆の配置となるようにされる。
【００５８】
またＩＤ信号の構成は図８に示すようになる。すなわち図８において、１番目のバイト（ＩＤ０）のＭＳＢ側から、１ビットが上述の１フレームを構成する２つのフィールドを判別する識別信号とされる。また次の３ビットが１番目と７番目の同期ブロックでアプリケーションデータＡＰ３のエリアとされ、１２番目の同期ブロックでアプリケーションデータＡＰＴのエリアとされる。また残りの同期ブロックでは３ビットがインデックスＩ、スキップＳ、静止画再生を行うためのピクチャーフォトＰ等のＴＡＧデータのエリアとされる。
【００５９】
さらに１番目のバイトのＬＳＢ側の４ビットと、２番目のバイト（ＩＤ１）のＭＳＢ側の４ビットの計８ビットにおいて、テープの記録始端からの絶対トラック番号が設けられる。この絶対トラック番号は３個の同期ブロックを一まとめにして、計２４ビットが２３ビットの２進値と１ビットのブランクフラグＢＦで構成される。この絶対トラック番号が１トラックに４回同じデータで繰り返し設けられる。
【００６０】
また２番目のバイトのＬＳＢ側の４ビットにはトラック内の同期ブロック番号（０〜１１）のデータＳＮＣが設けられる。なおＩＤ信号の３番目のバイト（ＩＤＰ）は１番目及び２番目のバイトのインナーパリティとされる。なお上述の計１２バイトからなる同期ブロック１２個のデータは、２４／２５変換によって全体で１２００ビットとされる。
【００６１】
このような構成で、例えばデジタル化された音声及び画像信号及びサブコードが記録される。そしてこのような回転ヘッド型磁気記録装置において、上述のサブコードの記録エリアに記録される絶対トラック番号が、以下に述べるようにして生成される。
【００６２】
すなわち本願の基本コンセプトを図９に示す。この図において、６２は境目位置６３が検出されたときの、境目位置６３からテープのドラムへの突入口（図示せず）までのメカデッキの距離が最も短いときのヘッドの位置、６１はメカデッキの距離が最も遠くでリーズナブルなヘッドの位置を示す。
【００６３】
この場合に、位置６１以降のテープエリア６６に書かれたビデオデータは必ずどのセットでも再生できるので、逆に言えば境目位置６３から位置６１までのエリア６５を記録不可範囲としておく必要がある。一方、境目位置６３から位置６２までのエリア６４にはどのセットでも記録できないので、エリア６５からエリア６４を差し引いた範囲６７が、意識的に記録不可とするエリアである。
【００６４】
そこでこの装置において、上述の位置６１を所定の位置として、例えば境目位置６３から１６５（＋１０、−０）ｍｍの位置を定める。そしてこの位置６１に記録されるトラックの絶対トラック番号を“０”とし、この位置６１以降に記録されるトラックに、順次所定の規則に従って増加して行く絶対トラック番号を生成して記録する。またこの位置６１以前（境目位置６３側）には、境目位置６３方向に順次所定の規則に従って減少して行く負の絶対トラック番号を２の補数表現で生成して記録する。
【００６５】
すなわちこの装置において、任意のメカデッキで境目位置６３が検出されたときのヘッドの位置６８は、図１０に示すように、位置６１から位置６２までの範囲６７に存在する。ここで境目位置６３から位置６８までの距離は、メカデッキの設計によって決定される値である。そこでこの距離を例えば１６５ｍｍから減じた距離６９をトラックピッチで割ることによってその間に相当するトラック本数を求める。そして境目位置６３が検出されたとき、このトラック本数を負の２の補数表現した値から、順次所定の規則に従って増加して行く絶対トラック番号を生成する。これによって、上述の位置６１に記録されるトラックの絶対トラック番号を“０”とするトラック番号を生成して記録することができる。
【００６６】
次にこのようにして記録されたテープの再生について考えてみる。すなわち上述の図９ａのメカデッキで記録されたテープを図９ａのメカデッキで再生する時や、図９ｂのメカデッキで記録されたテープを図９ｂのメカデッキで再生する、いわゆる自己録再では何の問題もない。さらに図９ｂのメカデッキで記録されたテープを、図９ａのメカデッキで再生する時にも、ヘッドはすぐに“０”の絶対トラック番号を検出して再生動作に移ることができる。この場合に、位置６１より前のエリアにヘッドが位置しても、２の補数表現で負の絶対トラック番号が記録されているので、絶対トラック番号の最上位ビットの変わり目によって、容易に“０”の絶対トラック番号を検出することができる。
【００６７】
これに対して問題なのは、図９ａのメカデッキで記録されたテープを、図９ｂのメカデッキで再生する場合である。この場合に境目位置６３を検出しても、そのときのヘッドの位置６２には何も書かれていないブランクテープエリアなので、記録済みテープかどうかの判断ができない。
【００６８】
そこでそのような場合には、上述の例えば１６５ｍｍ分早送りをしてやる。そして何らかの絶対トラック番号が検出されれば、記録済みテープなので、“０”の絶対トラック番号を検出して再生動作に移る。また絶対トラック番号が検出されなければ、全くのブランクテープとみなして早送りした１６５ｍｍ分巻戻して停止する。以上のフローチャートを図１１に示す。
【００６９】
こうして上述の装置によれば、入力情報信号で形成されたトラックが特定の絶対トラック番号以降で記録されることによって、ローディング方式が異なってもテープの記録の開始位置に記録した内容が確実に再生でき、また確実に消去できるものである。
【００７０】
さらに上述の装置において、“０”の絶対トラック番号の位置Ｅより前のエリアには、図１２に示すように再生サーボが掛かるのに充分な距離Ｓと、記録サーボ（ドラム、キャプスタン）が掛かるのに充分な距離Ｒが設けられる。なおこの場合に、各種のメカデッキを考慮してフォーマットとして定められた有効記録不可能範囲をＬとする。
【００７１】
そこで上述の装置において、距離Ｓの再生サーボを立ち上げるための助走区間の記録時に、助走区間内において映像、音声信号ともに無効のデータを記録する。なお映像、音声信号の無効のデータとしては、データの全てのビットを“０”とするか、ＡＡＵＸ、ＶＡＵＸ内に設けられる制御データの例えば記録モードの情報を“１１”とする。
【００７２】
これによって、再生時に距離Ｓの区間においてサーボをかけている間は、映像、音声信号ともに無効データが記録されているので、有効記録エリアに入った時に、全てのＶＣＲにおいて記録の最初で映像、音声ともに乱れることなく再生することができる。
【００７３】
なおこの距離Ｓの区間に記録されるデータとしては、無効データだけでなく記録再生されるＶＣＲに固有の有用なデータを記録することもできる。
【００７４】
さらに上述の装置において、テープ上には２４ビットの絶対トラック番号が記録され、その内の上位２３ビットの２進数表現が実際の絶対トラック番号であり、最下位１ビットがブランクフラグＢＦとされている。なおブランクフラグＢＦは負論理によって記録され、“０”の絶対トラック番号からの連続性が保たれていればＢＦ＝１、不連続であればＢＦ＝０が記録される。
【００７５】
そこでこのようなブランクフラグＢＦを用いる記録方法について、未記録部分を挟んで記録を行った場合を例にとって説明する。
【００７６】
すなわち“０”の絶対トラック番号の位置から記録を行った場合、記録される絶対トラック番号についてはもちろん連続性が保たれているので、ＢＦ＝１が記録される。ここで仮に絶対トラック番号“１５０００”まで記録を行ったとする（図１３ａ参照）。
【００７７】
この後、絶対トラック番号“１５０００”以前の部分から記録が再開された場合については、絶対トラック番号“０”からの連続性が保たれるように絶対トラック番号が記録され、ＢＦ＝１が記録される（図１３ｂは絶対トラック番号“２５０００”まで記録された場合を示す）。
【００７８】
これに対して、絶対トラック番号“１５０００”の位置から早送り等の操作が行われ、未記録部分を挟んで記録が再開された場合には、装置側ではリールの回転速度等からテープの位置が判断され、おおよそその位置に記録されるであろう絶対トラック番号の値が計算されて、テープ上に記録される。仮にその計算値が“２００００”とされる。この場合に、絶対トラック番号“０”からの連続性が保たれていないので、ＢＦ＝０が記録される（図１３ｃは絶対トラック番号“３００００”まで記録された場合を示す）。
【００７９】
その後、絶対トラック番号“３００００”以降に、再び未記録部分を挟んで記録が再開された場合は、上述と同様に絶対トラック番号が記録される。
【００８０】
また絶対トラック番号“２００００”から“３００００”の間の部分で記録が再開された場合には、記録が再開された直前の絶対トラック番号から連続性が保たれるように絶対トラック番号が記録される。この場合、再開された直前の絶対トラック番号が既に絶対トラック番号“０”からの連続性が保たれていないので、ＢＦ＝０が記録される（図１３ｄは絶対トラック番号“３５０００”まで記録された場合を示す）。
【００８１】
すなわちブランクフラグＢＦについては、途中の未記録部分の有無に係わらず記録開始直前のトラックのものと同じものが記録される。また記録開始直前のトラックが未記録部分の場合はＢＦ＝０が記録される。ただし、テープの始端における、絶対トラック番号“０”以前の、負の絶対トラック番号が記録されている部分については、常にＢＦ＝１が記録される。
【００８２】
これによって、記録された絶対トラック番号がテープの始端から連続性が保たれたものであるか、不連続なものであるかの判別が可能になる。
【００８３】
従ってこの装置において、未記録部分を挟んで記録が行われた後、再びテープの始端から連続性が保たれたような記録を行った場合、リールの回転速度等からテープの位置を判断したときの誤差の影響により、１本のテープ上に同一の絶対トラック番号が複数個存在するといった事態が発生することが考えられる（図１３ｅ参照）。この場合も、ブランクフラグＢＦの“０”“１”の違いによって個々の絶対トラック番号の判別を行うことができ、絶対トラック番号のサーチ等を行ったときでも、誤った点をサーチしてしまうといった事態を防止することができる。
【００８４】
また、上述の絶対トラック番号だけでなく、所謂タイムコードにもブランクフラグＢＦを適用することができる。この場合には、例えば図１４に示すように、未記録部分を挟んで記録が行われた場合に、テープの位置を推測しておおよそのタイムコードを記録するようなことはせず、リセットして０から記録し直すようにする。
【００８５】
こうして上述の装置によれば、絶対トラック番号が連続して形成されているか否かを示すフラグが記録されることによって、サーチ等の動作を円滑に行うことができるものである。
【００８６】
また上述の装置において、絶対トラック番号の記録される場所は、上述のサブコードのエリアに限られるものではなく。他のエリアに記録される絶対トラック番号であっても、同様に本願を適用することができるものである。
【００８７】
【発明の効果】
この発明によれば、入力情報信号で形成されたトラックが特定の絶対トラック番号以降で記録されることによって、ローディング方式が異なってもテープの記録の開始位置に記録した内容が確実に再生でき、また確実に消去できる。また、絶対トラック番号が連続して形成されているか否かを示すフラグが記録されることによって、サーチ等の動作を円滑に行うことができるようになった。
【図面の簡単な説明】
【図１】本発明による回転ヘッド型磁気記録装置の記録系の一例の構成図である。
【図２】本発明による回転ヘッド型磁気記録装置の再生系の一例の構成図である。
【図３】本発明による回転ヘッド型磁気記録装置の再生系の一例の構成図である。
【図４】その説明のためのテープフォーマットの一例を示す図である。
【図５】その説明のためのオーディオデータの記録エリアの一例を示す図である。
【図６】その説明のためのビデオデータの記録エリアの一例を示す図である。
【図７】その説明のためのサブコードの記録エリアの一例を示す図である。
【図８】その説明のためのサブコードの記録エリアの一例を示す図である。
【図９】本願の基本コンセプトの説明のための略線図である。
【図１０】その動作の説明のための略線図である。
【図１１】その動作の説明のためのフローチャート図である。
【図１２】他の動作の説明のための略線図である。
【図１３】さらに他の動作の説明のための略線図である。
【図１４】その説明のための略線図である。
【図１５】８ミリＶＣＲのメカデッキの説明のための略線図である。
【図１６】８ミリＶＣＲのメカデッキの説明のための略線図である。
【図１７】従来の動作の説明のための略線図である。
【図１８】さらに他のＶＣＲのメカデッキの説明のための略線図である。
【符号の説明】
１  アンテナ
２  チューナー
３ａ、３ｂ  スイッチ
４  外部アナログビデオ入力
５  外部アナログオーディオ入力
６  Ｙ／Ｃ分離回路
７ａ、７ｂ、７ｃ  ＬＰＦ（Ｌｏｗ  Ｐａｓｓ  Ｆｉｌｔｅｒ）
８ａ、８ｂ、８ｃ  Ａ／Ｄ変換回路
９  ブロック化回路
１０  シャフリング回路
１１  同期分離回路
１２  ＰＬＬ（Ｐｈａｓｅ  Ｌｏｃｋｅｄ  Ｌｏｏｐ）回路
１３  分周器
１４  データ圧縮符号化部
１５  フレーミング回路
１６  合成器
１７、１８、１９  ＩＣ回路
２０  信号処理用のマイクロコンピュータ
２１  Ａ／Ｄ変換回路
２２  シャッフリング回路
２３  フレーミング回路
２４  合成器
２５  信号生成回路
２６  スイッチ
２７  エラー訂正符号生成回路
２８  機構制御用のマイクロコンピュータ
２９  乱数化回路
３０  ２４／２５変換回路
３１  合成器
３２  スイッチ
３３  ＩＴＩセクターの生成用ＩＣ
３４  モード処理用のマイクロコンピュータ
３５  スイッチ
３６ａ、３６ｂ  ヘッドアンプ
３７ａ、３７ｂ  ヘッド
３８  ＭＩＣ処理用のマイクロコンピュータ
３９  ＭＩＣ接点
４０  スイッチ
４１  ＭＩＣ（Ｍｅｍｏｒｙ  Ｉｎ  Ｃａｓｓｅｔｔｅ）
【図１】
0003789493.tif 000002
【図２】
0003789493.tif 000003
【図３】
0003789493.tif 000004
【図４】
0003789493.tif 000005
【図５】
0003789493.tif 000006
【図６】
0003789493.tif 000007
【図７】
0003789493.tif 000008
【図８】
0003789493.tif 000009
【図９】
0003789493.tif 000010
【図１０】
0003789493.tif 000011
【図１１】
0003789493.tif 000012
【図１２】
0003789493.tif 000013
【図１３】
0003789493.tif 000014
【図１４】
0003789493.tif 000015
【図１５】
0003789493.tif 000016
【図１６】
0003789493.tif 000017
【図１７】
0003789493.tif 000018
【図１８】
0003789493.tif 000019